(57)【特許請求の範囲】
【請求項１】
窓開閉用の駆動部を配設した埋め込み式の操作箱と、
ヒンジにより連結されて、上下および左右が略対称形状のフェースとベース枠からなり、前記操作箱の開口部に上下逆さに組み替え可能なフェースユニットとを備えたことを特徴とする窓開閉装置の操作箱用扉。
【請求項２】
窓開閉用の駆動部を配設した埋め込み式の操作箱と、
上下および左右が略対称形状のフェースとベース枠を重ねてなり、前記操作箱の開口部に上下逆さに組み替え可能なフェースユニットと、
このフェースユニットの左右両側端面のうち一方に装着され、前記フェースを前記ベース枠に開閉可能に支持する断面略コ字状のヒンジと、
前記駆動部を操作する操作ボタンを有し、上下いずれの方向の前記フェースユニットにも着脱可能に取り付けられるフェースカバーとを備えたことを特徴とする窓開閉装置の操作箱用扉。
【請求項３】
前記ヒンジは、最大１８０度の開閉角度範囲で弾性変形可能なプラスチックにより形成されていることを特徴とする請求項１または請求項２に記載の窓開閉装置の操作箱用扉。
【請求項４】
前記フェースカバーは、係合爪により前記フェースに対して係脱可能に装着されることを特徴とする請求項２に記載の窓開閉装置の操作箱用扉。
【発明の詳細な説明】
【０００１】
【発明の属する技術分野】
本発明は、上下逆さに組み替えるだけで左右の開閉方向を簡単に変更できるように改良した窓開閉装置の操作箱用扉に関する。
【０００２】
【従来の技術】
家屋などの建造物に設置される窓開閉装置の操作箱には、窓の閉鎖操作や点検修理などのために開閉用の扉を設けている。そして、施工時に建物の壁部に窓開閉装置の操作箱を埋め込む際には、壁部の周囲の形状などによって、扉の開閉操作に支障がないように操作箱の扉の開閉方向を左右のいずれかに設定している。この場合、開き勝手が左方向と右方向の扉を２機種別々に製造して左右の開き勝手に対応することや、特殊な蝶番機構（スライド蝶番）などを用いて両開き構造の単一機種で対応することが考えられる。
【０００３】
【発明が解決しようとする課題】
ところが、開き勝手が左右別々の２機種を設けるものでは、汎用性がなく製品の維持管理の負担が増す不都合がある。
また、予め両開き構造により対処するものでは、汎用性はあるものの構造が複雑化してコストの上昇を招く不都合が生じる。
【０００４】
本発明は、これらの事情を背景になされたもので、その目的は開き勝手が左右に異なる２機種を設ける必要がなく、施工現場でフェースユニットを組み直すだけで左右の開き勝手を簡単かつ迅速に変更でき、それでいて上下および左右が略対称のデザインを有するため開き勝手の違いによる違和感がないといった優れた効果を奏する窓開閉装置の操作箱用扉を提供することにある。
【０００５】
【課題を解決するための手段】
請求項１によれば、窓開閉用の駆動部を配設した埋め込み式の操作箱と、ヒンジにより連結されて、上下および左右が略対称形状のフェースとベース枠からなり、前記操作箱の開口部に上下逆さに組み替え可能なフェースユニットとを備えたことを特徴とする。
【０００６】
請求項２によれば、窓開閉用の駆動部を配設した埋め込み式の操作箱と、上下および左右が略対称形状のフェースとベース枠を重ねてなり、前記操作箱の開口部に上下逆さに組み替え可能なフェースユニットと、このフェースユニットの左右両側端面のうち一方に装着され、前記フェースを前記ベース枠に開閉可能に支持する断面略コ字状のヒンジと、前記駆動部を操作する操作ボタンを有し、上下いずれの方向の前記フェースユニットにも着脱可能に取り付けられるフェースカバーとを備えたことを特徴とする。
【０００７】
請求項３によれば、前記ヒンジは、最大１８０度の開閉角度範囲で弾性変形可能なプラスチックにより形成されていることを特徴とする。
【０００８】
請求項４によれば、前記フェースカバーは、係合爪により前記フェースに対して係脱可能に装着されることを特徴とする。
【０００９】
【発明の作用および効果】
請求項１では、ヒンジにより連結され、上下および左右が略対称形状のフェースとベース枠からなるフェースユニットを操作箱の開口部に装着する構成である。このため、単一機種のフェースユニットを施工現場で上下逆さに組み替えるだけで、フェースのベース枠に対する左右の開閉方向を迅速かつ簡単に変更できる。
これにより、左右の開閉方向に応じた複数の機種を設ける必要がなく、機種の共通による汎用化が図られ、維持管理の負担が軽減する。また、特殊なスライド蝶番などにより複雑な両開き構造を設けるものと異なり、構造が簡単でコスト的に有利である。
【００１０】
請求項２では、フェースユニットは上下および左右が略対称であるため、上下逆さにしたフェースユニットに操作ボタンの付いたフェースカバーをそのまま装着できる。このため、請求項１で得られる作用効果に加えて、扉の開閉操作とデザインとの間に違和感がなく、デザインと操作とのイメージに支障を来さない利点が確保できる。
実際、扉のヒンジを付け替える場合、扉の表面に操作ボタンや把手などが存すると、左右の勝手違いにより扉の開閉操作とデザインとの間に違和感が生じるものである。
【００１１】
また、断面略コ字状のヒンジをフェースユニットの左側端面および右側端面の一方に取り付けているので、ヒンジが内側に隠蔽され外部からは露見せず、デザイン性に優れる。
また、フェースをベース枠に重ねて扉を形成しているので、外枠内に扉が嵌まる二分離型の従来と異なり、全体が切れ目のないフラッシュサーフィスの一枚になっており、外観の見栄えが良い。
【００１２】
請求項３によれば、ヒンジを弾性変形可能なプラスチックにより形成したので、最大１８０度の開閉角度範囲が簡単な構造で安価に得られる。
【００１３】
請求項４によれば、フェースカバーは、係合爪によりフェースに対して係脱可能に装着したので、簡単な操作で迅速に着脱でき、施工が短時間で済み作業性が優れる。
【００１４】
【発明の実施の形態】
次に各図を参照して本発明の一実施例を説明する。
図１において、１は窓開閉装置の矩形の操作箱で、これは内部にドラムなどの駆動部（図示せず）を配設しており、家屋といった建物の壁部に埋め込まれる。この操作箱１の開口部１ａには、扉として矩形のフェース２と矩形のベース枠３を重ねてなり、上下および左右が略対称形状のフェースユニット４が取り付けられる。この扉すなわちフェースユニット４は、窓の閉鎖操作や点検修理などのために操作箱１を開閉するようになっている。
【００１５】
すなわち、矩形のベース枠３は、上下の桟部３ａ、３ｂを介して横長プレート５、６により螺子止めされる。フェース２は、図２の（ａ）、（ｂ）に示すように内面に突設された爪２ａをベース枠３の受入れ爪３ｃに弾性係合させることにより、ベース枠３に対して着脱可能に装着される。
また、ベース枠３の受入れ爪３ｃとは反対側の左側端面に、上下二箇所に切欠状の内ポケット部７、８を形成している。そして、フェース２の左側端面に内ポケット部７、８に対向するよう上下に外ポケット部（図示せず）を形成している。
【００１６】
９、１０は一対のヒンジで、これは弾性プラスチックにより断面略コ字状に形成されている。これらヒンジ９、１０は、図３の（ａ）、（ｂ）に示すように上辺部にフック爪９ａ（１０ａ）、９ｂ（１０ｂ）を有し、下辺部にフック爪９ｃ（１０ｃ）、９ｄ（１０ｄ）を備え、薄肉部１１、１２を支点にして最大１８０度の角度範囲で内側から外側に開閉折曲可能になっている。この場合、ヒンジ９、１０は同一形状であるので、図３ではヒンジ１０のフック爪１０ａ〜１０ｄには、括弧を付して説明している。
そして、ヒンジ９のフック爪９ａ、９ｃは、フェース２の上部の外ポケット部に係合し、フック爪９ｂ、９ｄは、ベース枠３の内ポケット部７に係合している。また、ヒンジ１０のフック爪１０ａ、１０ｃは、フェース２の下部の外ポケット部に係合し、フック爪１０ｂ、１０ｄは、ベース枠３の内ポケット部８に係合している。これらヒンジ９、１０により、フェース２がベース枠３に対して右開き可能に支持される。
【００１７】
１３は縦長な取付用開口部で、これはフェース２の中央部に上下および左右対称に形成されている。この取付用開口部１３の左右に対向する内周縁部には、上下３段に微小な突起片１４、１５、１６が内部に向かって延設されている。
１７は取付用開口部１３に対向するフェースカバーで、これの中央部より上部寄りには透孔１８が設けられている。この透孔１８内には、カバー１９を有する操作ボタン２０が設けられている。この操作ボタン２０の押圧により、スプリング２１、ロックばね付き鋼球２２およびボタンプレート２３を介して操作箱１内の駆動部のドラムが操作される。これにより、排煙、換気、採光などに応じ、ワイヤー（図示せず）を介して家屋の窓の開閉が行われる。
【００１８】
また、フェースカバー１７内面の右側部縦方向には、突起片１４、１５、１６に対向する係合爪２４、２５、２６が形成されている（図４の（ａ）参照）。そして、これら係合爪２４、２５、２６を突起片１４、１５、１６の上下に生じた切欠部に挿入して下方に若干スライドすることにより、係合爪２４、２５、２６が突起片１４、１５、１６にそれぞれ係合して、フェースカバー１７がフェース２に装着される。
さらに、フェースカバー１７をフェース２から取り外すには、フェースカバー１７を上方に若干スライドし、係合爪２４、２５、２６を突起片１４、１５、１６からそれぞれ外せばよい。
【００１９】
さて、図１の状態では、ヒンジ９、１０が左側にあり、フェース２がベース枠３に対して右開き勝手になっている。この場合、操作箱１が埋め込まれる壁部の周囲形状によっては、施工現場で上記とは逆にフェース２をベース枠３に対して左開き勝手にする必要が生じることがある。
【００２０】
この場合には、先ずフェースカバ−１７を図４の（ａ）に示すようにフェースユニット４のフェース２から外す。そして、図１に示すようにフェースユニット４を操作箱１の開口部１ａから取り外し、図４の如く上下逆さとなるように１８０度反転する。
【００２１】
そして、フェースユニット４を上下逆さにした状態で、操作箱１の開口部１ａに取り付け直し、予め取り外しておいたフェースカバ−１７をフェースユニット４のフェース２に装着し直す。この場合、フェースユニット４とともに、フェース２は逆さに倒立しているので、フェースカバー１７の係合爪２４、２５、２６を突起片１６、１５、１４にそれぞれ係合させることになる。そして、フェースユニット４を上下逆に反転したことから、ヒンジ９、１０の位置が左側から右側に変わり、フェース２はベース枠３に対して左開き勝手になる。
【００２２】
このように、単一機種のフェースユニット４を施工現場で上下逆さに反転して組み替えるだけで、フェース２の開閉方向を左右に迅速かつ簡単に変更できる。これにより、左右の開き勝手方向に応じた複数の機種を設ける必要がなく、機種の共通による汎用化が図られ、維持管理の負担が軽減する。また、特殊なスライド蝶番などにより複雑な両開き構造を設けるものと異なり、構造が簡単でコスト的に有利である。
【００２３】
また、フェースユニット４は上下および左右が略対称であるため、上下逆さに反転したフェースユニット４に操作ボタン２０の付いたフェースカバー１７をそのまま装着できる。このため、扉の開閉操作とデザインとの間に違和感がなく、デザインと操作とのイメージに支障を来さない。
【００２４】
また、断面略コ字状のヒンジ９、１０をフェースユニット４の左側端面および右側端面の一方に取り付けているので、ヒンジ９、１０が内側に隠蔽され外部からは露見せず、デザイン性に優れる。
【００２５】
また、フェース２をベース枠３に重ねて扉を形成しているので、外枠内に扉が嵌まる二分離型の従来と異なり、全体が切れ目のないフラッシュサーフィスの一枚になっており、外観の見栄えが良い。
さらに、ヒンジ９、１０を弾性変形可能なプラスチックにより形成したので、最大１８０度の開閉角度範囲が簡単な構造で安価に得られる。
【００２６】
なお、操作箱１、フェース２、ベース枠３からなるフェースユニット４は、矩形状に限らず、楕円、六角などの多角形をはじめ、所望に応じて種々の幾何学形状に変更できる。
また、ヒンジ９、１０は必要に応じて３個、４個用いるようにしてもよい。
また、操作ボタン２０は、フェースカバー１７の中央部より上部寄りに形成したが、中央部に形成しても、あるいは中央部より下部寄りに形成してもよい。
加えて、本発明の具体的な実施にあたっては発明の要旨を逸脱しない範囲で種々変更できる。
【図面の簡単な説明】
【図１】本発明に係る窓開閉装置の操作箱用扉において、操作箱、フェース、ベース枠およびフェースカバーの分解斜視図である。
【図２】（ａ）は操作箱用扉の正面図であり、（ｂ）はＡ−Ａ線に沿う拡大横断面図である。
【図３】（ａ）はヒンジの拡大展開図であり、（ｂ）はヒンジの横断面図である。
【図４】（ａ）はフェースユニットとフェースカバーとの拡大斜視図であり、（ｂ）はヒンジの取付け状態を示すフェースユニットの部分的斜視図である。
【符号の説明】
１  操作箱
１ａ  開口部
２  フェース
３  ベース枠
４  フェースユニット
９、１０  ヒンジ
１４、１５、１６  突起片
１７  フェースカバー
２０  操作ボタン
２４、２５、２６  係合爪
【図１】
0004343414.tif 000002
【図２】
0004343414.tif 000003
【図３】
0004343414.tif 000004
【図４】
0004343414.tif 000005